(57)【要約】【課題】実釣時において、ルアーアクションを支障無く行える魚釣用リールを提供することを目的とする。【解決手段】本発明に係る魚釣用リールは、リール本体に１設けられたスプール７に、リール本体の側部に設けられたハンドル５の回転操作によって釣糸を巻回するように構成されており、釣竿を保持した手の指で操作可能な位置に、スプールに釣糸を補助的に巻回可能とした補助操作部１７を設け、この補助操作部１７を操作することにより、キャスティング後に、容易かつ微妙な釣糸巻取り操作を行うことを特徴とする。【選択図】　　図１
2004000121.tif 000002
【特許請求の範囲】
【請求項１】
リール本体に設けられたスプールに、リール本体の側部に設けられたハンドルの回転操作によって釣糸を巻回する魚釣用リールにおいて、
釣竿を保持した手の指で操作可能な位置に、前記スプールに釣糸を補助的に巻回可能とした補助操作部を設けたことを特徴とする魚釣用リール。
【請求項２】
前記補助操作部は、リール本体に設けられていることを特徴とする請求項１に記載の魚釣用リール。
【請求項３】
前記補助操作部は、リール本体を構成する左右側板間に回転可能に設けられていることを特徴とする請求項２に記載の魚釣用リール。
【発明の詳細な説明】
【０００１】
【発明の属する技術分野】
本発明は、リール本体の側板間に釣糸が巻回されるスプールを回転自在に支持した魚釣用リールに関し、特に、ルアーフィッシングに適した魚釣用リールに関する。
【０００２】
【従来の技術】
従来、釣法の一つとして、ルアーと称される疑似餌にアクションを与えて魚を釣るルアーフィッシングが知られており、例えば、特許文献１や特許文献２に開示されているような構成の魚釣用リールが使用されている。このルアーフィッシングにおいて、通常、魚は一定のスピードと動きをするものにあまり興味を示さない習性があることから、ロッド及びリールの操作によってルアーを止めたり、動かしたりする等のアクションを与えることが行なわれている。
【０００３】
この場合の操作の一つとして、キャスト後にロッドを引き上げてルアーにアクションを与え、その引き上げた分の釣糸を、ロッドを下げながら糸ふけが生じないようにハンドルを回転操作してスプールに巻回することがある。そして、釣人は、この一連のルアーアクションを、釣場の状況に応じて何回も繰り返し行い、魚のヒッティングを待つことになる。
【０００４】
【特許文献１】
特許第３００９０７４号公報
【特許文献２】
特許第３０２５１７２号公報。
【０００５】
【発明が解決しようとする課題】
ところで、上記した構成の魚釣用リールでルアーフィッシングを行う場合、釣人は、上記したルアーアクション操作を、リールを握持保持した手によるロッド操作と、反対側の手による巻取り回転操作とを使い分けて行わなければならず、キャスティング操作後のロッドを操作する腕が伸びきっている状態や、ハンドルが下側に向いている状態（手首の関係上、ロッドと共に保持しているハンドルは下側を向き易い）では、他方の手が不自然な位置となって、容易かつ微妙なハンドル回転操作、すなわち巻取り操作が行えない、という不具合がある。
【０００６】
また、釣場の障害物やハンドル側の手で物を持っている場合、或いは片方の手で釣竿を支え、他方の手で魚を取り込むための手網を持っている場合等、手がふさがってしまい、ハンドル側の手で巻取り操作ができない状況が発生することもある。
【０００７】
本発明は、上記したような問題に基づいてなされたものであり、実釣時において、ルアーアクション操作を支障無く行える魚釣用リールを提供することを目的とする。
【０００８】
【課題を解決するための手段】
上記した目的を達成するために、本発明に係る魚釣用リールは、リール本体に設けられたスプールに、リール本体の側部に設けられたハンドルの回転操作によって釣糸を巻回する構成において、釣竿を保持した手の指で操作可能な位置に、前記スプールに釣糸を補助的に巻回可能とした補助操作部を設けたことを特徴とする。
【０００９】
上記した構成の魚釣用リールによれば、キャスティング操作を行った後、釣竿を握持保持している側の手の指で補助操作部を操作することにより、そのままスプールの巻取り操作が行えるようになる。すなわち、釣竿を操作する腕の伸縮状態や、その腕の手首の状態に何等影響を受けることなく、釣竿を握持保持している側の手の指による操作で、容易かつ微妙な釣糸の巻取り操作が行えるようになる。
【００１０】
【発明の実施の形態】
以下、本発明に係る魚釣用リールの実施形態について、添付図面を参照して具体的に説明する。
図１乃至図４は、本発明に係る魚釣用リールの第１の実施形態を示す図であり、図１は平面図、図２は反ハンドル側から見た側面図、図３はハンドル側から見た側面図、そして、図４は操作状態を示す正面図である。
【００１１】
本実施形態の魚釣用リールのリール本体１は、フレームの左右枠２ａ，２ｂに対し、所定の空間をもって装着される左右側板３ａ，３ｂを備えており、一方の側板側（本実施形態では右側板３ｂ側）には、ハンドル５を装着したハンドル軸６が回転可能に支持されている。この場合、ハンドル５は、ハンドル軸６に対して装着されるハンドルアーム５ａ、及びその先端に回転可能に支持されたハンドルノブ５ｂを有している。
【００１２】
左右側板３ａ，３ｂ間には、釣糸が巻回されるスプール７が取り付けられたスプール軸８が回転可能に支持されており、スプール７は、前記ハンドル軸６に取り付けられている駆動歯車１０、及びスプール軸８に取り付けられているピニオン１２を具備した巻取り駆動機構１３を介して、ハンドル５の回転操作によって回転駆動されるように構成されている。
【００１３】
上記したハンドル軸６には、スプール７に対する制動力を調節する公知のドラグ機構を操作するための回転体１５（ドラグ調節体）が設けられている。この回転体には、回転操作し易いように、所定間隔おいて、径方向に突出する操作部１５ａが複数形成されており（本実施形態では５個の操作部が形成されている）、各操作部１５ａの先端には、反ハンドル側の側板３ａに向けて屈曲した補助操作部１７が、ハンドル側の側板３ｂに近接する位置まで一体的に大きく突出するように形成されている。この場合、補助操作部１７は、図４に示すように、リール本体１の反ハンドル側の側板３ａを握持保持した状態で、その手の指Ｈ（主に人差し指）で回転操作可能な大きさ、及び位置に形成されている。
【００１４】
このような補助操作部１７を設けたことにより、キャスティング操作を行った後、ルアーアクションを行うに際して、ロッドＲと共にリール本体の反ハンドル側側板３ａを握持保持している手の指Ｈで補助操作部１７を操作することで、そのままスプール７の巻取り操作が行えるようになる。すなわち、ロッドＲを操作する腕の伸縮状態や、その腕の手首の状態に何等影響を受けることなく、リール本体１を握持保持している手の指による操作で、容易かつ微妙な釣糸の巻取り操作が行えるようになる。
【００１５】
また、本実施形態では、補助操作部１７を、ドラグ力の調節を行うドラグ調節体１５に設けたことで、状況によってドラグ力の調節も反ハンドル側側板を握持保持している手の指で行うことができるようになり、幅広い対応が可能となる。
【００１６】
図５は、本発明に係る魚釣用リールの第２の実施形態を示す正面図である。なお、以下に説明する実施形態においては、上記した実施形態と同一の構成部材については、同一の参照符号を付し、その説明を省略もしくは簡略化する。
【００１７】
この実施形態では、釣糸の巻取り操作を可能にする補助操作部１８を、ハンドル５のハンドルアーム５ａの先端に装着したものであり、ハンドルノブ５ｂに対向するように装着して、リール本体１の反ハンドル側の側板３ａを握持保持した状態で、その手の指で回転操作可能となっている。
このような実施形態においても、上記した構成と同様な作用効果を得ることができる。
【００１８】
図６は、本発明に係る魚釣用リールの第３の実施形態を示す正面図である。　この実施形態では、釣糸の巻取り操作を可能にする補助操作部１９を、ドラグ調節体１５の操作部１５ａに対して一体形成することなく、その先端に着脱可能に装着したものである。
このような構成によれば、釣法によって補助操作部を着脱したり、好みや使用感によって形状や感触、色調の異なる補助操作部を選択使用できるので、釣人の好みや釣種に幅広く対応することができる。勿論、このような着脱可能な構成は上記した第２の実施形態においても適用可能である。
【００１９】
上記した各実施形態における補助操作部は、ハンドルを回転操作した際、それと共に回転する軸（駆動軸）に装着され、かつロッドを握持保持した側の手の指で操作できるような位置に設けられていれば、駆動軸に対する取付け方法、形状、個数等については適宜変形することが可能である。
【００２０】
図７乃至図１１は、本発明に係る魚釣用リールの第４の実施形態を示す図であり、図７は内部構成を示す平面図、図８は側板を外してハンドル側から見た側面図、図９は反ハンドル側から見た側面図、図１０はハンドル側側板の一部切欠き要部断面図、そして、図１１は操作状態を示す図である。
【００２１】
本実施形態の魚釣用リールのリール本体１は、フレーム２の左枠２ａ及び右枠２ｂに対し、所定の空間をもって装着される左右側板３ａ，３ｂを備えており、一方の側板側（本実施形態では左側板３ａ側）には、ハンドル５を装着したハンドル軸６が回転可能に支持されている。
【００２２】
左右側板３ａ，３ｂ間には、釣糸が巻回されるスプール７が取り付けられたスプール軸８が回転可能に支持されており、スプール７は、前記ハンドル軸６に取り付けられている駆動歯車１０、及びスプール軸８に取り付けられているピニオン１２を具備した巻取り駆動機構１３を介して、ハンドル５の回転操作によって回転駆動されるように構成されている。
【００２３】
上記したリール本体１のスプール７前方における左右側板３ａ，３ｂ間には、巻取り駆動機構１３に歯車伝達機構Ａ１〜Ａ４を介して連動回転し、スプール７に釣糸を平行に巻回するために左右に往復動するレベルワインド装置２０を構成する駆動軸２１が回転自在に支持され、この駆動軸２１の反ハンドル側側板３ｂ側のフレームの右枠２ｂには、歯車２２を介して駆動軸２１と連動回転するダイヤルつまみ状の補助操作部２５が回転自在に支持されている。そして、この補助操作部２５の外周の一部は、反ハンドル側側板３ｂの下面前方に形成された開口部３ｃを介して外部に露出しており、反ハンドル側側板３ｂを握持保持した状態の手の指Ｈ（主に人差し指）で回転操作可能な大きさと位置に形成されている。なお、補助操作部２５の外周は、指で操作し易いように、凹凸形状、又は滑り難い材料で形成しておくことが好ましい。
【００２４】
上記したような補助操作部２５を設けたことにより、キャスティング操作を行った後、ルアーアクションを行うに際して、ロッドＲと共にリール本体１の反ハンドル側側板３ｂを握持保持している手の指Ｈで補助操作部２５を回動操作することで、上記した歯車２２、駆動軸２１、歯車伝達機構Ａ１〜Ａ４及び巻取り駆動機構１３を介して、そのままの状態でスプール７を回転させて釣糸の巻取り操作が行えるようになる。すなわち、ロッドＲを操作する腕の伸縮状態やその腕の手首の状態に何等影響を受けることなく、リール本体１を握持保持している手の指Ｈによる操作で、容易且つ微妙な釣糸の巻取り操作が行える。
【００２５】
なお、上記した補助操作部２５を介してスプール７を巻取り回転させる方法は、レベルワインド装置２０の駆動軸２１を補助操作部２５の駆動軸として直接利用するように構成しても良いし、上記した動力伝達経路のいずれかの部分に補助操作部を設けても良い。また、補助操作部２５に対するスプール７の回転方向を異方向又は同方向にするために、上記した動力伝達経路に歯車を適宜介在しても良く、取付け方法、形状、個数等は適宜変形することが可能である。
【００２６】
また、本実施形態では、上記した補助操作部２５を、リール本体１を構成する反ハンドル側側板３ｂに装着したが、この場合、装着の位置は、反ハンドル側側板３ｂの前方上部又は前方下部でも良く、要するに、握持保持している手の指Ｈで回動操作可能な位置であれば限定されることはない。例えば、図１２乃至図１４に示す第５の実施形態のように構成することが可能である。
【００２７】
この第５の実施形態では、左側板３ａの後方側に配設されているハンドル軸６に同軸上で一体回転可能な延出部２７を形成し、この延出部２７の先端を右枠２ｂから突出させると共に、その突出端にダイヤルつまみ状の補助操作部２８を支持したものである。延出部２７は、両側枠２ａ，２ｂにおいて軸受２９を介して回転可能に支持されており、補助操作部２８の外周の一部は、反ハンドル側側板３ｂの下面後方に形成された開口部３ｄを介して外部に露出している。そして、この補助操作部２８は、反ハンドル側側板３ｂを握持保持した状態の手の指Ｈ（主に中指又は薬指）で回転操作可能な大きさと位置に形成されている。
このように補助操作部は、反ハンドル側側板３ｂの適所に設けることが可能である。
【００２８】
図１５及び図１６は、本発明に係る魚釣用リールの第６の実施形態を示す図であり、図１５は魚釣用リールの背面図、図１６はハンドル側から見た側面図である。
【００２９】
本実施形態の魚釣用リールのリール本体１は、フレーム２の左枠２ａ及び右枠２ｂに対し、所定の空間をもって装着される左右側板３ａ，３ｂを備えており、フレーム２の左右両枠２ａ，２ｂは、支柱３０とリール脚固定板３１と指載せ板３２を介して平行に保持されている。また、一方の側板側（本実施形態では左側板３ａ側）には、ハンドル５を装着したハンドル軸６が回転可能に支持されている。
【００３０】
左右側板３ａ，３ｂ間には、釣糸Ｓが巻回されるスプール７が取り付けられたスプール軸８が回転可能に支持されており、スプール７は、前記ハンドル軸６に取り付けられている駆動歯車１０、及びスプール軸８に取り付けられているピニオン１２を具備した巻取り駆動機構１３を介して、ハンドル５の回転操作によって回転駆動されるように構成されている。
【００３１】
上記した左側板３ａ内には、歯車によって構成される補助操作部３５が駆動歯車１０に噛合するように支軸３６を介して回転自在に支持されている。この補助操作部３５の一部（下端領域）は、左側板３ａの下面に形成された透孔から外部に露出されており、反ハンドル側の側板３ｂを握持保持した状態の手の指Ｈ（主に中指、もしくは薬指）の指先で、掻くように回転操作可能となっている。
【００３２】
このように、補助操作部は、リール本体を構成するハンドル側側板３ａに設けても良く、このような構成でも、上記した実施形態と同様、キャスティング後に釣糸の巻取り操作をすることが可能である。
【００３３】
図１７は、本発明に係る魚釣用リールの第６の実施形態を示す図であり、ハンドル側から見た側面図、及びその要部を拡大して示す図である。上述した実施形態は、いずれも、通常のハンドル巻取り操作を行うと、補助操作部が連動するように構成されているが、本実施形態では、スプールに駆動力を伝達する駆動力伝達経路の構成部材に対して、補助操作部が継脱可能となる継脱手段を用いることで、ハンドルの巻取り操作時には連動しないように構成したものである。
【００３４】
具体的に、本実施形態の魚釣用リールは、ハンドル５が装着される側の左側板３ａにおいて、反ハンドル側の側板を握持保持した状態の手の親指を伸ばすと届く位置に歯車からなる補助操作部４５を配設している。この補助操作部４５は、左側板３ａに装着された付勢部材（バネ板）によって構成される支持部材４６の先端において、支軸４７を介して回転可能で、かつその一部が左側板３ａに形成された透孔３ａ´から露出するように支持されている。この場合、補助操作部４５は、支持部材４６をその付勢力に抗して押し込んだ際、駆動歯車１０に噛合可能となっている。
【００３５】
上記したような補助操作部４５によれば、上述した実施形態と同様、リール本体１を握持保持している手の指による操作で、容易且つ微妙な釣糸の巻取り操作が行えるようになる。また、上記した補助操作部４５は、付勢部材を有する継脱手段によって、通常は、支持部材４６の付勢力によって駆動歯車１０から離間した状態であるので、ハンドル５を巻取り操作してスプールに釣糸を巻回しても、それに伴って回転することはなく、操作性の向上が図れる。なお、このような継脱手段を構成する付勢部材の構成、配置方法等については適宜変形することが可能である。
【００３６】
上述した第６及び第７の実施形態では、歯車からなる補助操作部３５，４５を駆動歯車１０に噛合させ、補助操作部を回動操作することで、駆動歯車１０を介してスプールを釣糸巻取り方向に駆動可能に構成したが、レバー状の部材によってスプールを釣糸巻取り方向に駆動可能にしても良い。例えば、ハンドル軸６に爪車を回り止め嵌合し、ハンドル軸に一端を回動自在に支持したレバーに、前記爪車に係合離脱自在の係止爪を設け、レバーの引き操作によってハンドル軸６を回転させたり、押し込み操作されるレバーに前記爪車に係合離脱自在の係止爪を設け、レバーを押し込み操作することでハンドル軸６を回転させる等、適宜変形することが可能である。
【００３７】
図１８乃至図２１は、本発明に係る魚釣用リールの第８の実施形態を示す図であり、図１８は主要部の内部構成を示す平面図、図１９は図１８のＡ−Ａ線に沿った断面図、図２０は図１８のＢ−Ｂ線に沿った断面図、そして、図２１は操作状態を示す図である。
【００３８】
本実施形態の魚釣用リール１は、右側板３ｂ側にハンドル５を装着したハンドル軸６が回転可能に支持されている。ハンドル軸６に取り付けられた駆動歯車１０には、従動歯車６０が噛合されており、この従動歯車６０には、スプール側に歯車６１が一体回転可能となるように併設されている。また、左右側板３ａ，３ｂ間には、スプール７の上方位置において、補助操作部材６５が回転可能となるように配設されている。この補助操作部材６５は、左右の枠２ａ，２ｂ間に回転可能に支持された回転軸６７に囲繞するように設けられており、好ましくは、図に示すように、指で操作し易いような凹凸形状、或いは滑り難い材料で形成されている。そして、前記回転軸６７の一端部は、右枠２ｂからハンドル側に突出しており、その突出端に前記歯車６１と噛合する歯車６８が取り付けられている。
【００３９】
上記した構成によれば、補助操作部６５は、ロッドＲと共にリール本体１の反ハンドル側側板３ｂを握持保持している手の指Ｈ（親指）で回動操作することができ、その回動操作により、駆動歯車１０を介してスプール７を回転させて釣糸の巻取り操作が行える。この場合、補助操作部６５をリール本体の両側板間に配設したことで、リール本体における突出部を少なくすると共に、側板間のデッドスペースを有効に活用して補助部材を配設することができ、さらに、リール本体を包み込むように握持保持した際、操作が行ない易い両側板間に補助操作部６５を横架させたことで、キャスティング後に、安定した状態でスプールの微妙な巻取り操作が行えるようになる。つまり、リール本体を保持する右手又は左手の両方の手の指で容易に巻取り補助操作が行なえるようになる。
なお、この実施形態においても、上述したような継脱手段を組み込んでおくことが好ましい。
【００４０】
以上の実施形態のように、ロッドを握持保持している側の手の指で操作可能な補助操作部は、ドラグ調節体やハンドルノブ、ハンドルの回転操作で連動回転する回転軸上、リール本体の適所に設けることが可能である。また、補助操作部の形状や操作方法については適宜変形することが可能である。
【００４１】
【発明の効果】
以上説明したように、本発明によれば、実釣時において、キャスト後のルアーアクション操作を、釣竿を保持する側の手で支障無く行える魚釣用リールが得られる。
【図面の簡単な説明】
【図１】本発明に係る魚釣用リールの第１の実施形態を示す平面図。
【図２】図１に示す魚釣用リールを反ハンドル側から見た側面図。
【図３】図１に示す魚釣用リールをハンドル側から見た側面図。
【図４】図１に示す魚釣用リールの操作状態を示す正面図。
【図５】本発明に係る魚釣用リールの第２の実施形態を示す正面図。
【図６】本発明に係る魚釣用リールの第３の実施形態を示す正面図。
【図７】本発明に係る魚釣用リールの第４の実施形態を示す図であり、内部構成を示す平面図。
【図８】図７に示す魚釣用リールの側板を外してハンドル側から見た側面図。
【図９】図７に示す魚釣用リールを反ハンドル側から見た側面図。
【図１０】図７に示す魚釣用リールのハンドル側側板を一部切欠いた要部断面図。
【図１１】図７に示す魚釣用リールの操作状態を示す図。
【図１２】本発明に係る魚釣用リールの第５の実施形態を示す図であり、内部構成を示す平面図。
【図１３】図１２に示す魚釣用リールの背面図。
【図１４】図１２に示す魚釣用リールの操作状態を示す図。
【図１５】本発明に係る魚釣用リールの第６の実施形態を示す背面図。
【図１６】図１５に示す魚釣用リールをハンドル側から見た側面図。
【図１７】本発明に係る魚釣用リールの第７の実施形態を示す図であり、ハンドル側から見た側面図、及びその要部を拡大して示す図。
【図１８】本発明に係る魚釣用リールの第８の実施形態を示す図であり、主要部の内部構成を示す平面図。
【図１９】図１８のＡ−Ａ線に沿った断面図。
【図２０】図１８のＢ−Ｂ線に沿った断面図。
【図２１】図１８に示す魚釣用リールの操作状態を示す図。
【符号の説明】
１　リール本体
３ａ，３ｂ　側板
５　ハンドル
７　スプール
１７，１８，１９，２５，２８，３５，４５，６５　補助操作部
【図１】
2004000121.tif 000003
【図２】
2004000121.tif 000004
【図３】
2004000121.tif 000005
【図４】
2004000121.tif 000006
【図５】
2004000121.tif 000007
【図６】
2004000121.tif 000008
【図７】
2004000121.tif 000009
【図８】
2004000121.tif 000010
【図９】
2004000121.tif 000011
【図１０】
2004000121.tif 000012
【図１１】
2004000121.tif 000013
【図１２】
2004000121.tif 000014
【図１３】
2004000121.tif 000015
【図１４】
2004000121.tif 000016
【図１５】
2004000121.tif 000017
【図１６】
2004000121.tif 000018
【図１７】
2004000121.tif 000019
【図１８】
2004000121.tif 000020
【図１９】
2004000121.tif 000021
【図２０】
2004000121.tif 000022
【図２１】
2004000121.tif 000023